(57)【特許請求の範囲】
【請求項１】
ベーステーブル部と、
前記ベーステーブル部上に設けられ、可撓性を有するホース状の擬似餌材を移送する移送部と、
前記移送部から移送される前記擬似餌材の長さ方向に切断するが、一端を除いた部分から他端まで複数本となるように切断する第１切断部と、
前記第１切断部に隣り合って設けられ、前記第１切断部で切断された前記擬似餌材の長さ方向に直交して切断するが、互いに隣り合う前記擬似餌材の一端と他端との間を切断する第２切断部とを含んでなり、
前記第２切断部の切断動作により完成する擬似餌は、一端が円筒状を成して釣り針に装着され、一端を除いた部分から他端まで複数本の可撓性脚状を成して魚類を引き寄せることを特徴とする、擬似餌の製造装置。
【請求項２】
前記移送部は、
前記第１切断部の外側に設けられ、移送方向または移送反対方向に回動する第１移送ユニットと、
前記ベーステーブル部の下側から上面へ貫通して設けられ、前記第１移送ユニットを回動させる第１移送モーターと、
前記第１移送ユニットの先端内側から油圧または空圧により先端内側面に向かって往復運動が可能な突起状に設けられ、前記第１移送ユニットが前記擬似餌材を把持し或いは把持動作を解除する第１把持突起と、
前記第２切断部の外側に設けられ、前記第１移送ユニットと同様に移送方向または移送反対方向に回動する第２移送ユニットと、
前記ベーステーブル部の下側から上面へ貫通して設けられ、前記第２移送ユニットを回動させる第２移送モーターと、
前記第２移送ユニットの先端内側から油圧または空圧により先端内側面に向かって往復運動が可能な突起状に設けられ、前記第２移送ユニットが前記擬似餌材を把持し或いは把持動作を解除する第２把持突起とを含み、
前記第１移送ユニットと前記第２移送ユニットは前記第１切断部と前記第２切断部を挟んで両側から一定時間の間隔で前記擬似餌材を移送させることを特徴とする、請求項１記載の擬似餌の製造装置。
【請求項３】
前記擬似餌材を巻き取って保管する巻取部と、
前記巻取部と前記移送部との間に設けられ、前記擬似餌材の上面に接触するように前記擬似餌材の弾性力により上下方向に移動可能に形成されて前記擬似餌材の弛みを防止し、移送の際に前記移送部の回動動作に応じて左右の動きをガイドする弾性保持ガイド部とをさらに含むことを特徴とする、請求項２記載の擬似餌の製造装置。
【請求項４】
前記第１切断部は、
上面に前記複数の本数に合わせて複数個の切断溝が左右方向に延びて設けられる第１切断台と、
前記第１切断台の上側に上下方向に移動可能に設けられ、前記切断溝の個数と同じ数の円板状刃を有し、下方移動の際に前記第１切断台の前記切断溝に沿って左右方向に移動する第１切断ナイフと、
前記第１切断ナイフを左右方向に移動させる第１油圧シリンダーと、
前記第１切断ナイフの下側に設けられ、前記第１切断ナイフを上下方向に移動させる第２油圧シリンダーとを含むことを特徴とする、請求項１記載の擬似餌の製造装置。
【請求項５】
前記第１切断部は、
前記第１切断台の左右方向の両側に設けられ、中央に移送ガイド溝を有する移送ガイド台と、
一端が回動軸となり、他端が前記移送ガイド台の上側で上下回動を行うことができるように設けられ、前記第１切断部の切断動作の際に下方移動動作により前記擬似餌材を固定して支持する一対の固定バーと、
前記固定バーの他端を回動させる第３油圧シリンダーとを含み、
前記移送部により前記擬似餌材が移送されてくると、前記第３油圧シリンダーの動作により前記固定バーの他端が前記移送ガイド台の上面に接触するように回動して前記擬似餌材を固定し、前記第２油圧シリンダーの動作により前記第１切断ナイフが下方へ移動して前記切断溝に接触し、前記第１油圧シリンダーの動作により前記第１切断ナイフが前記第１切断台の上面に沿って移動しながら前記擬似餌材の長さ方向に切断するが、一端を除いた部分から他端まで複数本となるように切断することを特徴とする、請求項４に記載の擬似餌の製造装置。
【請求項６】
前記第２切断部は、
前記移送部の内側または前記移送部上に設けられ、前記擬似餌材の長さ方向に直交するように前後方向に形成される、上下方向に貫通する切断ホールを有する第２切断台と、
前記第２切断台の上側に上下方向に移動可能に設けられ、下方移動の際に前記切断ホールに収容される円板状刃を有する第２切断ナイフと、
前記第２切断ナイフを前記第２切断台の上側で支持する第２ナイフ保持台と、
前記第２切断ナイフを上下方向に移動させる第４油圧シリンダーとを含み、
前記移送部により第１切断動作が行われた前記擬似餌材が移送されてくると、前記第４油圧シリンダーの動作により前記第２切断ナイフが前記第２ナイフ保持台から前記第２切断台へ移動し、互いに隣り合う前記擬似餌材の一端と他端との間を切断することを特徴とする、請求項１記載の擬似餌の製造装置。
【請求項７】
ベーステーブル部と、前記ベーステーブル部上に設けられ、可撓性を有するホース状の擬似餌材を移送する移送部と、前記移送部から移送される前記擬似餌材の長さ方向に切断するが、一端を除いた部分から他端まで複数本となるように切断する第１切断部と、前記第１切断部に隣り合って設けられ、前記第１切断部で切断された前記擬似餌材の長さ方向に直交して切断するが、互いに隣り合う前記擬似餌材の一端と他端との間を切断する第２切断部とを含む、擬似餌の製造装置を用意する第１段階と、
可撓性を有するホース状の前記擬似餌材を把持して移送する第２段階と、
前記擬似餌材の長さ方向に切断するが、一端を除いた部分から他端まで複数本となるように切断する第３段階と、
前記擬似餌材の長さ方向に直交して切断するが、互いに隣り合う前記擬似餌材の一端と他端との間を切断する第４段階とを含んでなることを特徴とする、擬似餌の製造方法。
【発明の詳細な説明】
【技術分野】
【０００１】
本発明は、擬似餌の製造装置および擬似餌の製造方法に係り、より詳しくは、自動的に簡単に擬似餌を製造することが可能な擬似餌の製造装置および擬似餌の製造方法に関する。
【背景技術】
【０００２】
一般に、釣り餌には天然餌と擬似餌が使われており、擬似餌は、一回使用で消耗する天然餌とは異なり、再使用および反復使用が可能であるという長所がある。特に、擬似餌は対象魚やポイントの状況等に応じてその特性に合うものを使用することにより、最適の釣果を得ることができる。
【０００３】
このような擬似餌は、引き寄せ効果を極大化するため、実際自然の生物に類似する形態などに製造され、夜光発色などの多様な色相と模様などを有する。すなわち、擬似餌は、対象魚の引き寄せに有利な形状と色彩などを有することにより、非常に高い釣果を得ることができるという長所がある一方、使用者が任意にその形状や色相に変化を加えて使用することができるという長所などがある。
【０００４】
ところが、ほとんどの擬似餌は、釣り針に固定状態に結合している構造を取っており、使用者が任意に着脱して使用することができない。よって、既に固定された形態のみで使用することができるうえ、使用者の希望する仕掛りに所望の擬似餌を使用することができないという問題点がある。
【０００５】
さらに、従来では擬似餌を手作業で製作しているため、多くの手間と努力がかかり且つ生産量および生産速度が低下するという問題点がある。
【先行技術文献】
【特許文献】
【０００６】
【特許文献１】韓国登録実用新案公報第２０−０４０７６４３号
【発明の概要】
【発明が解決しようとする課題】
【０００７】
そこで、本発明は、かかる問題点を解決するために案出されたもので、その目的は、擬似餌の製造の際に人の手を介さずに、すべての工程を自動化して生産量および生産速度を向上させることが可能な擬似餌の製造装置および擬似餌の製造方法を提供することにある。
【０００８】
本発明の他の目的は、擬似餌を自動的に製造するが、不良が発生しないように、正確な位置に切断が行われることが可能な擬似餌の製造装置および擬似餌の製造方法を提供することにある。
【０００９】
本発明の別の目的は、擬似餌の種類に応じて太さや長さを自動的に調節することができ、釣り針に対して手早く取り替えができるように脱着が容易な擬似餌の製造装置および擬似餌の製造方法を提供することにある。
【００１０】
本発明が解決しようとする課題は上述した課題に制限されず、上述していない別の課題は以降の記載から本発明の属する技術分野における通常の知識を有する者に明確に理解できるであろう。
【課題を解決するための手段】
【００１１】
本発明に係る擬似餌の製造装置は、ベーステーブル部と、ベーステーブル部上に設けられ、可撓性を有するホース状の擬似餌材を移送する移送部と、移送部から移送される擬似餌材の長さ方向に切断するが、一端を除いた部分から他端まで複数本となるように切断する第１切断部と、第１切断部に隣り合って設けられ、第１切断部で切断された擬似餌材の長さ方向に垂直して切断するが、互いに隣り合う擬似餌材の一端と他端との間を切断する第２切断部とを含んでなり、第２切断部の切断動作により完成する擬似餌は、一端が円筒状を成して釣り針に装着され、一端を除いた部分から他端まで複数本の可撓性脚状を成して魚類を引き寄せることを特徴とする。
【００１２】
また、本発明の移送部は、第１切断部の外側に設けられ、移送方向または移送反対方向に回動する第１移送ユニットと、ベーステーブル部の下側から上面へ貫通して設けられ、第１移送ユニットを回動させる第１移送モーターと、第１移送ユニットの先端内側から油圧または空圧により先端内側面に向かって往復運動が可能な突起状に設けられ、第１移送ユニットが擬似餌材を把持し或いは把持動作を解除する第１把持突起と、第２切断部の外側に設けられ、第１移送ユニットと同様に移送方向または移送反対方向に回動する第２移送ユニットと、ベーステーブル部の下側から上面へ貫通して設けられ、第２移送ユニットを回動させる第２移送モーターと、第２移送ユニットの先端内側から油圧または空圧により先端内側面に向かって往復運動が可能な突起状に設けられ、第２移送ユニットが擬似餌材を把持し或いは把持動作を解除する第２把持突起とを含み、第１移送ユニットと第２移送ユニットは第１切断部と第２切断部を挟んで両側から一定時間の間隔で擬似餌材を移送させることを特徴とする。
【００１３】
また、本発明の擬似餌の製造装置は、擬似餌材を巻き取って保管する巻取部と、巻取部と移送部との間に設けられ、擬似餌材の上面に接触するように擬似餌材の弾性力により上下方向に移動可能に形成されて擬似餌材の弛みを防止し、移送の際に移送部の回動動作に応じて左右の動きをガイドする弾性保持ガイド部とをさらに含むことを特徴とする。
【００１４】
また、本発明の第１切断部は、上面に複数の本数に合わせて複数個の切断溝が左右方向に延びて設けられる第１切断台と、第１切断台の上側に上下方向に移動可能に設けられ、切断溝の個数と同じ数の円板状刃を有し、下方移動の際に第１切断台の切断溝に沿って左右方向に移動する第１切断ナイフと、第１切断ナイフを左右方向に移動させる第１油圧シリンダーと、第１切断ナイフの下側に設けられ、第１切断ナイフを上下方向に移動させる第２油圧シリンダーとを含むことを特徴とする。
【００１５】
また、本発明の第１切断部は、第１切断台の左右方向の両側に設けられ、中央に移送ガイド溝を有する移送ガイド台と、一端が回動軸となり、他端が移送ガイド台の上側で上下回動を行うことができるように設けられ、第１切断部の切断動作の際に下方移動動作により擬似餌材を固定して支持する一対の固定バーと、固定バーの他端を回動させる第３油圧シリンダーとを含み、移送部により擬似餌材が移送されてくると、第３油圧シリンダーの動作により固定バーの他端が移送ガイド台の上面に接触するように回動して擬似餌材を固定し、第２油圧シリンダーの動作により第１切断ナイフが下方へ移動して切断溝に接触し、第１油圧シリンダーの動作により第１切断ナイフが第１切断台の上面に沿って移動しながら擬似餌材の長さ方向に切断するが、一端を除いた部分から他端まで複数本となるように切断することを特徴とする。
【００１６】
また、本発明の第２切断部は、移送部の内側または移送部上に設けられ、擬似餌材の長さ方向に垂直するように前後方向に形成される、上下方向に貫通する切断ホールを有する第２切断台と、第２切断台の上側に上下方向に移動可能に設けられ、下方移動の際に切断ホールに収容される円板状刃を有する第２切断ナイフと、第２切断ナイフを第２切断台の上側で支持する第２ナイフ保持台と、第２切断ナイフを上下方向に移動させる第４油圧シリンダーとを含み、移送部により第１切断動作が行われた擬似餌材が移送されてくると、第４油圧シリンダーの動作により第２切断ナイフが第２ナイフ保持台から第２切断台へ移動し、互いに隣り合う擬似餌材の一端と他端との間を切断することを特徴とする。
【００１７】
また、本発明の擬似餌の製造方法は、ベーステーブル部と、ベーステーブル部上に設けられ、可撓性を有するホース状の擬似餌材を移送する移送部と、移送部から移送される擬似餌材の長さ方向に切断するが、一端を除いた部分から他端まで複数本となるように切断する第１切断部と、第１切断部に隣り合って設けられ、前記第１切断部で切断された擬似餌材の長さ方向に垂直して切断するが、互いに隣り合う擬似餌材の一端と他端との間を切断する第２切断部とを含む、擬似餌の製造装置を用意する第１段階と、可撓性を有するホース状の擬似餌材を把持して移送する第２段階と、擬似餌材の長さ方向に切断するが、一端を除いた部分から他端まで複数本となるように切断する第３段階と、擬似餌材の長さ方向に垂直して切断するが、互いに隣り合う擬似餌材の一端と他端との間を切断する第４段階とを含んでなることを特徴とする。
【発明の効果】
【００１８】
本発明に係る擬似餌の製造装置および擬似餌の製造方法は、 擬似餌の製造の際に人の手を介さずに、すべての工程を自動化して生産量および生産速度を向上させることができるという効果がある。
【００１９】
また、本発明に係る擬似餌の製造装置および擬似餌の製造方法は、擬似餌を自動的に製造するが、不良が発生しないように、正確な位置に切断が行われることができるという効果がある。
【００２０】
また、本発明に係る擬似餌の製造装置および擬似餌の製造方法は、擬似餌の種類に応じて太さや長さを自動的に調節することができ、釣り針に対して手早く取り替えができるように脱着が容易であるという効果がある。
【図面の簡単な説明】
【００２１】
【図１】本発明の一実施例に係る擬似餌の製造装置の正面図である。
【図２】本発明の一実施例に係る擬似餌の製造装置の正面の拡大図である。
【図３】本発明の一実施例に係る擬似餌の製造装置の平面図である。
【図４】本発明の一実施例に係る擬似餌の製造装置の左側面から見た透視図である。
【図５】本発明の一実施例に係る擬似餌の製造装置の移送部の動作特性を説明するための図である。
【図６】本発明の一実施例に係る擬似餌の製造装置の第１切断部および把持部の動作特性を説明するための図である。
【図７】本発明の一実施例に係る擬似餌の製造装置の第２切断部の動作特性を説明するための図である。
【図８】本発明の一実施例に係る擬似餌の製造方法を説明するためのフローチャートである。
【図９】本発明の一実施例に係る擬似餌の製造装置および擬似餌の製造方法により製造される擬似餌を示す図である。
【図１０】本発明の一実施例に係る擬似餌の製造装置の実際の制作された写真である。
【図１１】本発明の一実施例に係る擬似餌の製造装置の実際の制作された写真である。
【図１２】本発明の一実施例に係る擬似餌の製造装置の実際の制作された写真である。
【図１３】本発明の一実施例に係る擬似餌の製造装置の実際の制作された写真である。
【発明を実施するための形態】
【００２２】
上述した本発明についての解決しようとする課題、課題の解決手段、発明の効果を含む具体的な事項は、後述する実施例および図面に含まれている。本発明の利点、特徴、およびそれらの達成方法は、添付図面と共に詳細に後述している実施例を参照すると明らかになるであろう。
【００２３】
以下、添付図面を参照して本発明をより詳細に説明する。
【００２４】
図１〜図７はそれぞれ本発明の一実施例に係る擬似餌の製造装置を説明するための図である。具体的には、図１は本発明の一実施例に係る擬似餌の製造装置の正面図、図２は本発明の一実施例に係る擬似餌の製造装置の正面の拡大図、図３は本発明の一実施例に係る擬似餌の製造装置の平面図、図４は本発明の一実施例に係る擬似餌の製造装置の左側面から見た透視図であり、図５は本発明の一実施例に係る擬似餌の製造装置の移送部の動作特性を説明するための図、図６は本発明の一実施例に係る擬似餌の製造装置の第１切断部と把持部の動作特性を説明するための図、図７は本発明の一実施例に係る擬似餌の製造装置の第２切断部の動作特性を説明するための図である。一方、図９は本発明の一実施例に係る擬似餌の製造装置および擬似餌の製造方法により製造される擬似餌を示す図である。
【００２５】
図１〜図７に示すように、本発明の一実施例に係る擬似餌の製造装置は、ベーステーブル部１１０、移送部１２０、第１切断部１３０および第２切断部１４０を含む。
【００２６】
ベーステーブル部１１０は、テーブル状をし、移送部１２０、第１切断部１３０および第２切断部１４０を形成させるための土台となる。
【００２７】
移送部１２０は、データベーステーブル部１１０上に設けられ、可撓性を有するホース状の擬似餌材１０を移送する。
【００２８】
具体的には、本発明の一実施例に係る移送部１２０は、第１切断部１３０の外側に設けられ、移送方向または移送反対方向に回動する第１移送ユニット１２１と、ベーステーブル部１１０の下側から上面へ貫通して設けられ、第１移送ユニット１２１を回動させる第１移送モーター１２２と、第１移送ユニット１２１の先端内側から油圧または空圧により先端内側に向かって往復運動が可能な突起状に設けられ、第１移送ユニット１２１が擬似餌材を把持し或いは把持動作を解除する第１把持突起１２３とを含むことが可能である。
【００２９】
また、移送部１２０は、第２切断部１４０の外側に設けられ、第１移送ユニット１２１と同様に移送方向または移送反対方向に回動する第２移送ユニット１２４と、ベーステーブル部１１０の下側から上面へ貫通して設けられ、第２移送ユニット１２４を回動させる第２移送モーター１２５と、第２移送ユニット１２４の先端内側から油圧または空圧により先端内側面に向かって往復運動が可能な突起状に設けられ、第２移送ユニット１２４が擬似餌材を把持し或いは把持動作を解除する第２把持突起１２６とを含むことが可能である。
【００３０】
このような構成により、移送部１２０の第１移送ユニット１２１と第２移送ユニット１２４は、第１切断部１３０および第２切断部１４０を挟んで両側から一定時間の間隔で擬似餌材を移送させることができる。
【００３１】
一方、本発明の一実施例に係る擬似餌の製造装置は、擬似餌材を巻き取って保管する巻取部１５０と、巻取部１５０と移送部１２０との間に設けられ、擬似餌材の上面に接触するように形成されるが擬似餌材の弾性力により上下方向に移動可能に形成されて擬似餌材の弛みを防止し、移送の際に移送部１２０の回動動作に応じて左右の動きをガイドする弾性保持ガイド部１６０とをさらに含むことが可能である。
【００３２】
第１切断部１３０は、移送部１２０から移送される擬似餌材の長さ方向に切断するが、一端を除いた部分から他端まで複数本となるように切断する。
【００３３】
具体的には、本発明の一実施例に係る第１切断部１３０は、上面に複数の本数に合わせて複数個の切断溝１３１ａが左右方向に延びて設けられる第１切断台１３１と、第１切断台１３１の上側に上下方向に移動可能に設けられ、切断溝１３１ａの個数と同じ数の円板状刃１３２ａを有し、下方移動の際に第１切断台１３１の切断溝１３１ａに沿って左右方向に移動する第１切断ナイフ１３２と、第１切断ナイフ１３２を左右方向に移動させる第１油圧シリンダー１３３と、第１切断ナイフ１３２の下側に設けられ、第１切断ナイフ１３２を上下方向に移動させる第２油圧シリンダー１３４とを含むことが可能である。
【００３４】
また、第１切断部１３０は、第１切断台１３１の左右方向の両側に設けられ、中央に移送ガイド溝を有する移送ガイド台１３５と、一端が回動軸となり、他端が移送ガイド台１３５の上側で上下回動を行うことができるように設けられ、第１切断部１３０の切断動作の際に下方移動動作により擬似餌材を固定して支持する一対の固定バー１３６と、固定バー１３６の他端を回動させる第３油圧シリンダー１３７とを含むことが可能である。
【００３５】
このような構成によって、移送部１２０により擬似餌材が移送されてくると、第３油圧シリンダー１３７の動作により固定バー１３６の他端が移送ガイド台１３５の上面に接触するように回動して擬似餌材を固定する。
【００３６】
その後、第２油圧シリンダー１３４の動作により第１切断ナイフ１３２が下方に移動して切断溝１３１ａに接触し、第１油圧シリンダー１３３の動作により第１切断ナイフ１３２が第１切断台１３１の上面に沿って移動しながら擬似餌材の長さ方向に切断するが、一端を除いた部分から他端まで複数本となるように切断することができる。
【００３７】
第２切断部１４０は、第１切断部１３０に隣り合って設けられ、第１切断部で切断された擬似餌材の長さ方向に垂直して切断するが、互いに隣り合う擬似餌材の一端と他端との間を切断する。
【００３８】
具体的には、本発明の一実施例に係る第２切断部１４０は、移送部１２０の内側または移送部１２０上に設けられ、擬似餌材の長さ方向に垂直するように前後方向に形成されるが上下方向に貫通する切断ホール１４１ａが形成される第２切断台１４１と、第２切断台１４１の上側から上下方向に移動可能に設けられ、下方移動の際に切断ホール１４１ａに収容される円板状刃１４２ａを有する第２切断ナイフ１４２とを含むことが可能である。
【００３９】
また、第２切断部１４０は、第２切断ナイフ１４２を第２切断台１４１の上側で支持する第２ナイフ保持台１４３と、第２切断ナイフ１４２を上下方向に移動させる第４油圧シリンダー１４４とを含むことが可能である。
【００４０】
このような構成によって、移送部１２０により第１切断動作が行われた擬似餌材が移送されてくると、第４油圧シリンダーの動作により第２切断ナイフ１４２が第２ナイフ保持台１４３から第２切断台１４１に移動して、互いに隣り合う擬似餌材の一端と他端との間を切断することができる。
【００４１】
これにより、図９を参照すると、第２切断部１４０の切断動作により完成する擬似餌２０は、一端が円筒状を成して釣り針に装着され、一端を除いた部分から他端までが複数本の可撓性脚状を成して魚類を引き寄せることができる。
【００４２】
図８は、本発明の一実施例に係る擬似餌の製造方法を説明するためのフローチャートである。
【００４３】
図８に示すように、本発明の一実施例に係る擬似餌の製造方法は以下の手順に従って行われる。
【００４４】
まず、第１段階（Ｓ１１０）では、ベーステーブル部と、ベーステーブル部上に設けられ、可撓性を有するホース状の擬似餌材を移送する移送部と、移送部から移送される擬似餌材の長さ方向に切断するが、一端を除いた部分から他端まで複数本となるように切断する第１切断部と、第１切断部に隣り合って設けられ、第１切断された擬似餌材の長さ方向に垂直して切断するが、互いに隣り合う擬似餌材の一端と他端との間を切断する第２切断部とを含む擬似餌の製造装置を用意する。
【００４５】
次に、第２段階（Ｓ１２０）では、可撓性を有するホース状の擬似餌材を把持して移送する。
【００４６】
その後、第３段階（Ｓ１３０）では、擬似餌材の長さ方向に切断するが、一端を除いた部分から他端まで複数本となるように切断する。
【００４７】
その次に、第４段階（Ｓ１４０）では、擬似餌材の長さ方向に垂直して切断するが、互いに隣り合う擬似餌材の一端と他端との間を切断する。
【００４８】
このように、本発明の一実施例に係る擬似餌の製造装置および擬似餌の製造方法は、擬似餌の製造の際に人の手を介さずに、すべての工程を自動化して生産量および生産速度を向上させることができるという利点がある。
【００４９】
また、本発明の一実施例に係る擬似餌の製造装置および擬似餌の製造方法は、擬似餌を自動的に製造するが、不良が発生しないように、正確な位置に切断が行われることができるという利点がある。
【００５０】
また、本発明の一実施例に係る擬似餌の製造装置および擬似餌の製造方法は、擬似餌の種類に応じて太さや長さを自動的に調節することができ、釣り針に対して手早く取替えができるように脱着が容易であるという利点がある。
【００５１】
このように、上述した本発明の技術的構成は、本発明の属する技術分野における当業者であれば、本発明の技術的思想または必須の特徴を変更することなく他の具体的な形態で実施できることを理解することができるであろう。
【００５２】
よって、上述した実施例は、あらゆる面で例示的なもので、限定的なものではないと理解されるべきである。本発明の範囲は前記の詳細な説明よりは後記の特許請求の範囲によって定められるもので、特許請求の範囲の意味および範囲、そしてその均等概念から導出されるすべての変更または変形形態も本発明の範囲に含まれるものと解釈されるべきである。
【符号の説明】
【００５３】
１０  擬似餌材
２０  擬似餌
１１０  ベーステーブル部
１２０  移送部
１２１  第１移送ユニット
１２２  第１移送モーター
１２３  第１把持突起
１２４  第２移送ユニット
１２５  第２移送モーター
１２６  第２把持突起
１３０  第１切断部
１３１  第１切断台
１３１ａ  切断溝
１３２  第１切断ナイフ
１３２ａ、１４２ａ  円板状刃
１３３  第１油圧シリンダー
１３４  第２油圧シリンダー
１３５  移送ガイド台
１３６  固定バー
１３７  第３油圧シリンダー
１４０  第２切断部
１４１  第２切断台
１４１ａ  切断ホール
１４２  第２切断ナイフ
１４３  第２ナイフ保持台
１４４  第４油圧シリンダー
１５０  巻取部
１６０  弾性保持ガイド部
【図１】
0005976766.tif 000002
【図２】
0005976766.tif 000003
【図３】
0005976766.tif 000004
【図４】
0005976766.tif 000005
【図５】
0005976766.tif 000006
【図６】
0005976766.tif 000007
【図７】
0005976766.tif 000008
【図８】
0005976766.tif 000009
【図９】
0005976766.tif 000010
【図１０】
0005976766.tif 000011
【図１１】
0005976766.tif 000012
【図１２】
0005976766.tif 000013
【図１３】
0005976766.tif 000014